(57)【要約】【課題】ユーザーが出力指示を行ったときには中間言語からの出力を行うことにより高速な情報の出力を可能であり、また、ユーザに迅速に情報を提供することができる情報端末装置を提供すること目的とする。【解決手段】情報印刷装置と情報表示装置を備えた情報端末装置であって、前記情報表示端末に表示されている複数のボタンから印刷指示が行われると、前記情報印刷装置からそのボタンに関連付けられている印刷情報を印刷するとともに、前記印刷情報は、前記情報印刷装置で直接処理可能な中間言語データである。【選択図】        図２
2008152688.tif 000002
【特許請求の範囲】
【請求項１】
情報印刷装置と情報表示装置を備えた情報端末装置であって、
前記情報表示端末に表示されている複数のボタンから印刷指示が行われると、前記情報印刷装置からそのボタンに関連付けられている印刷情報を印刷するとともに、
前記印刷情報は、前記情報印刷装置で直接処理可能な中間言語データであることを特長とする情報端末装置。
【請求項２】
情報印刷装置と情報表示装置を備えた情報端末装置であって、
前記情報表示端末に表示されている複数のボタンから印刷指示が行われると、前記情報印刷装置からそのボタンに関連付けられている印刷情報を印刷するとともに、
セキュリティレベルの異なる複数の情報源から、同一のセキュリティレベルの情報を抽出して、前記印刷情報を作成するようにしたことを特徴とする情報端末装置。
【請求項３】
情報印刷装置と情報表示装置を備えた情報端末装置であって、
前記情報表示端末に表示されている複数のボタンから印刷指示が行われると、前記情報印刷装置からそのボタンに関連付けられている印刷情報を印刷するとともに、
入力情報に対して複数のカテゴリに分類するためのフィルタ処理を適用し、それによって得たカテゴリ別の情報を、前記情報表示端末に表示するボタンに関連付けることを特長とする情報端末装置。
【請求項４】
情報印刷装置と情報表示装置を備えた情報端末装置であって、
前記情報表示端末に表示されている複数のボタンから印刷指示が行われると、前記情報印刷装置からそのボタンに関連付けられている印刷情報を印刷するとともに、
セキュリティレベルの異なる複数の情報源から、同一のセキュリティレベルの情報を抽出した後に、複数のカテゴリに分類するためのフィルタ処理を適用し、それによって得たカテゴリ別の情報を、前記情報表示端末に表示するボタンに関連付けるようにしたことを特徴とする情報端末装置。
【請求項５】
前記印刷情報の更新を、所定の時間間隔に行うことを特徴とする請求項１乃至４記載の情報端末装置。
【発明の詳細な説明】
【技術分野】
【０００１】
本発明は、情報印刷装置と情報表示装置を備えた情報端末装置に関する。
【背景技術】
【０００２】
従来、特許文献１には、データベースに登録されたデータの一覧画面を生成し、この一覧画面をディスプレイに表示し、特定のデータを選択すると詳細画面を生成し、ディスプレイに表示するようにしたものが開示されている。
【０００３】
また、特許文献２には、人気のあるカテゴリに属する情報を入手しやすくする検索分類システムの提案が開示されている。
【特許文献１】特開２００５−２４２５１６号公報
【特許文献２】特開２００５−９９９６４号公報
【発明の開示】
【発明が解決しようとする課題】
【０００４】
しかしながら、引用文献１の場合には、データを選択してから詳細画面を生成しており、ディスプレイに表示されるまでに時間を要することがある。
【０００５】
また、引用文献２の場合には、ユーザーが能動的（プル型）に情報にアクセスする必要があり、知的創造活動を支援するためにはプッシュ型の情報アクセスが必要といわれており、プッシュ型の情報アクセスを提供できないという問題があった。
【０００６】
本発明は、かかる実情に鑑みてなされたものであり、ユーザーが出力指示を行ったときには中間言語からの出力を行うことにより高速な情報の出力を可能であり、また、ユーザに迅速に情報を提供することができる情報端末装置を提供すること目的とする。
【課題を解決するための手段】
【０００７】
本発明は、情報印刷装置と情報表示装置を備えた情報端末装置であって、前記情報表示端末に表示されている複数のボタンから印刷指示が行われると、前記情報印刷装置からそのボタンに関連付けられている印刷情報を印刷するとともに、前記印刷情報は、前記情報印刷装置で直接処理可能な中間言語データである。
【０００８】
また、情報印刷装置と情報表示装置を備えた情報端末装置であって、前記情報表示端末に表示されている複数のボタンから印刷指示が行われると、前記情報印刷装置からそのボタンに関連付けられている印刷情報を印刷するとともに、セキュリティレベルの異なる複数の情報源から、同一のセキュリティレベルの情報を抽出して、前記印刷情報を作成するようにしたものである。
【０００９】
また、情報印刷装置と情報表示装置を備えた情報端末装置であって、前記情報表示端末に表示されている複数のボタンから印刷指示が行われると、前記情報印刷装置からそのボタンに関連付けられている印刷情報を印刷するとともに、入力情報に対して複数のカテゴリに分類するためのフィルタ処理を適用し、それによって得たカテゴリ別の情報を、前記情報表示端末に表示するボタンに関連付けるようにしたものである。
【００１０】
また、情報印刷装置と情報表示装置を備えた情報端末装置であって、前記情報表示端末に表示されている複数のボタンから印刷指示が行われると、前記情報印刷装置からそのボタンに関連付けられている印刷情報を印刷するとともに、セキュリティレベルの異なる複数の情報源から、同一のセキュリティレベルの情報を抽出した後に、複数のカテゴリに分類するためのフィルタ処理を適用し、それによって得たカテゴリ別の情報を、前記情報表示端末に表示するボタンに関連付けるようにしたものである。
【００１１】
また、前記印刷情報の更新を、所定の時間間隔に行うようにしたものである。
【発明の効果】
【００１２】
したがって、本発明によれば、事前に出力（＝印刷）するための中間言語への変換を行っているので、ユーザが出力指示を行ったときには迅速に印刷物を出力することができるという効果を得る。
【００１３】
また、予め指定されたカテゴリの情報を収集してユーザに提示し、高速印刷しているので、パソコンやＰＤＡ、携帯電話などの情報端末を持たなくても、ユーザが情報を閲覧することができるという効果を得る。
【発明を実施するための最良の形態】
【００１４】
以下、添付図面を参照しながら、本発明の実施の形態を詳細に説明する。
【００１５】
図１は、本発明の一実施例にかかる情報システムの一例を示している。
【００１６】
この情報システムは、情報端末装置ＴＭおよび社内データベース装置ＤＢａをローカルエリアネットワークＬＡＮを介して接続してなるイントラネットと、このイントラネットをインターネットＮＴへ接続するためのゲートウェイ装置ＧＷと、インターネットＮＴへ接続された社外データベース装置ＤＢｂから構成されている。
【００１７】
ここで、情報端末装置ＴＭは、ユーザに迅速に種々な情報を提供するためのものであり、社内データベース装置ＤＢａおよび社外データベース装置ＤＢｂから取得した各種情報を複数のカテゴリに分類し、ユーザがタッチ操作可能な画面にそれらのカテゴリをボタン表示して、ユーザがタッチ操作したボタンに表示しているカテゴリの情報を、印刷物として記録出力するようにしている。
【００１８】
図２は、情報端末装置ＴＭの構成の一例を示している。
【００１９】
同図において、ＣＰＵ（中央処理装置）１は、この情報端末装置ＴＭの動作制御を行うものであり、ＲＯＭ（リード・オンリ・メモリ）２は、ＣＰＵ１が起動時に実行するプログラムや必要なデータ等を記憶するためのものであり、ＲＡＭ（ランダム・アクセス・メモリ）３は、ＣＰＵ１のワークエリア等を構成するためのものである。
【００２０】
キャラクタジェネレータ４は、図形文字の表示データを発生するためのものであり、時計回路５は、現在日時情報を出力するためのものであり、ローカルエリアネットワークインターフェース回路６は、この情報端末装置ＴＭをローカルエリアネットワークＬＡＮに接続するためのものであり、ローカルエリアネットワーク伝送制御部７は、ローカルエリアネットワークＬＡＮを介して、他のデータ端末装置（社内データベース装置ＤＢａおよび社外データベース装置ＤＢｂなど）との間で種々のデータをやりとりするための各種所定のプロトコルスイートの通信制御処理を実行するためのものである。
【００２１】
外部記憶装置８は、例えば、磁気ディスク装置やメモリカードからなり、他のデータ端末装置との間で種々のデータを送受信するための通信アプリケーションなどの種々のアプリケーションプログラム、ワークデータ、印刷情報（後述）などのファイルデータ、画情報データなどの種々のデータを記憶するためのものであり、液晶表示装置９は、この情報端末装置ＴＭを操作するための画面を表示するためのものであり、表示制御部１０は、液晶表示装置９の表示内容を制御するためのものである。
【００２２】
タッチパネル装置１１は、液晶表示装置９の表示画面に配設され、ユーザのタッチ操作を入力するためのものであり、入力制御部１２は、タッチパネル装置１１の入力情報を取り込む等するためのものである。なお、タッチパネル装置１１以外の画面指示装置（例えば、マウスなど）も、同様にして適用することができる。また、画面指示装置以外の適宜な入力装置、例えば、数字ボタンを押すなどする入力装置を用いることもできる。
【００２３】
また、プリンタ装置１３は、印刷情報を記録出力するためのものであり、印刷情報としては、所定のページ記述言語（ＰＤＬ；ページプリンタにおいて、印刷イメージを記述するための言語）のデータを処理することができる。
【００２４】
これらのＣＰＵ１、ＲＯＭ２、ＲＡＭ３、キャラクタジェネレータ４、時計回路５、ローカルエリアネットワーク伝送制御部７、外部記憶装置８、表示制御部１０、入力制御部１２、および、プリンタ装置１３は、バス１４に接続されており、これらの各要素間のデータのやりとりは、主としてこのバス１４を介して行われる。
【００２５】
図３（ａ）は、社内データベース装置ＤＢａから取得する情報の一例を示している。この情報は、例えば、作者名、作成日時、社外秘扱いの有無などの情報を含む書誌情報と、情報本体（文字列情報または画像情報あるいはそれらの混在情報など）からなる。
【００２６】
また、本実施例では、ユーザに提供する情報を複数のカテゴリに分類している。それぞれのカテゴリは、例えば、図３（ｂ）に示すように、複数のキーワードを含むカテゴリ情報により定義されている。例えば、カテゴリ「ＩＴ」には、キーワード「インターネット」などが含まれ、また、カテゴリ「政治」には、キーワード「内閣総理大臣」が含まれる。
【００２７】
また、外部記憶装置８に蓄積される印刷情報は、例えば、図３（ｃ）に示すように、それぞれのカテゴリ別に構成されており、その内容としては、同図（ｄ）に示すように、「カテゴリ名」と「印刷情報」から構成される。ここで、印刷情報は、プリンタ装置１３が解釈可能なページ記述言語である。
【００２８】
図４は、ユーザに提示する操作画面１１ａの一例を示している。
【００２９】
この操作画面１１ａには、２つのおおきな表示欄ＡＡ１，ＡＡ２が見えており、各表示欄ＡＡ１，ＡＡ２には、「表題＃１」、「表題＃２」に続いて、カテゴリ名が表示されている操作ボタンが複数設けられている。ここで、各操作ボタンは、それぞれのカテゴリの情報取得を指示するためのものである。
【００３０】
例えば、「表題＃１」が「乗換案内」の場合、カテゴリとしては、例えば、「大森」、「銀座」、「海老名」、「新横浜」など、社屋の最寄り駅の駅名などを含めるようにすることができる。また、「表題＃２」が「読み物」の場合、カテゴリとしては、例えば、「政治」、「ＩＴ」、「経営」、「競合」など、社員に提供したいタイムリーな項目を含めるようにすることができる。
【００３１】
図５は、情報端末装置ＴＭが社内データベース装置ＤＢａから情報を取得する際の処理の一例を示している。なお、この処理は、適宜な時間間隔で行われる。
【００３２】
まず、社内データベース装置ＤＢａから、取得可能な全ての情報を取得する（処理１０１）。そして、取得した情報について、セキュリティレベルのフィルタ処理を行う（処理１０２）。この場合、例えば、書誌情報に「社外秘扱い」が設定されている情報については、公開することは好ましくないので、このフィルタ処理では、廃棄される。
【００３３】
そして、処理１０２で廃棄されなかった情報について、上述したカテゴリ情報を参照したカテゴリ分類処理が適用され、それぞれの情報が対応するカテゴリへと分類される（処理１０３）。
【００３４】
次に、そのときの日時を更新日時として、それぞれの情報に付加し、付加後のそれぞれの情報を、プリンタ装置１３のページ記述言語のデータに変換して印刷情報を作成し（処理１０４）、さらに、その印刷情報に、おのおの分類したカテゴリ名を付加してカテゴリ別印刷情報を作成し、そのカテゴリ別印刷情報を外部記憶装置８に蓄積する（処理１０５）。
【００３５】
図６は、情報端末装置ＴＭが社外データベース装置ＤＢｂから情報を取得する際の処理の一例を示している。なお、この処理は、適宜な時間間隔で行われる。
【００３６】
まず、社外データベース装置ＤＢｂから、取得可能な全ての情報を取得する（処理２０１）。次いで、上述したカテゴリ情報を参照したカテゴリ分類処理が適用され、それぞれの情報が対応するカテゴリへと分類される（処理２０２）。
【００３７】
次に、そのときの日時を更新日時として、それぞれの情報に付加し、付加後のそれぞれの情報を、プリンタ装置１３のページ記述言語のデータに変換して印刷情報を作成し（処理２０３）、さらに、その印刷情報に、おのおの分類したカテゴリ名を付加してカテゴリ別印刷情報を作成し、そのカテゴリ別印刷情報を外部記憶装置８に蓄積する（処理２０４）。
【００３８】
図７は、ユーザが図４に示したような表示画面を操作した際に実行される印刷処理の一例を示している。
【００３９】
ユーザがタッチパネル操作を行って印刷指示をすると（処理３０１，判断３０２のＮＯループ）、そのときに操作されたボタンに対応するカテゴリを判別し（処理３０３）、その判別したカテゴリのカテゴリ別印刷情報を読み出す（処理３０４）。
【００４０】
そして、読み出したカテゴリ別印刷情報をプリンタ装置１３へ転送して、対応する印刷物を記録出力させる（処理３０５）。
【００４１】
このようにして、本実施例では、印刷情報として、プリンタ装置１３が解釈可能なページ記述言語の情報（中間言語情報）を保存しているので、ユーザが印刷を指示操作した直後にプリンタ装置１３から印刷物を記録出力させることができ、ユーザに迅速に情報を提供することができる。
【００４２】
また、社内データベース装置ＤＢａから取得する情報については、一定のセキュリティレベル以下のもの（上述した場合は、社外秘扱いが登録されていない情報のみ）を抽出するようにしているので、重要な情報が外部に漏れるおそれがない。
【００４３】
すなわち、社内データベース装置ＤＢａから取得する情報と、社外データベース装置ＤＢｂから取得する情報では、そのセキュリティレベルが同等なものとなり、情報公開するに際して、安全である。
【００４４】
ところで、このように情報端末装置ＴＭでは、ユーザに身近な情報を迅速に提供することができるので、例えば、社屋の出入り口やエレベータの出入り口などに設置すると、帰宅途中などで便利な情報を提供するに際して、好適である。
【００４５】
このような設置場所は、電源を取りにくかったり、あるいは、ローカルエリアネットワークＬＡＮの配線を引き回すことが美観上困難であったりするので、例えば、図８に示すように、バッテリ装置２２で駆動するとともに、無線ＬＡＮユニット２１を介してローカルエリアネットワークＬＡＮに接続するような構成にすることが好ましい。なお、同図において、図２と同一または相当する部分には、同一符号を付して、その説明を省略している。
【００４６】
なお、バッテリ装置２２としては、近年注目されている燃料電池のような大容量なものを用いたり、再充電可能なものを用いると環境負荷の低減にも効果がある。
【００４７】
また、情報アクセスの無線方式は、無線ＬＡＮによる方式のほか、ＵＷＢなどの無線ＰＡＮを適用することができる。とくに、ＵＷＢを適用した場合には、セキュリティ確保を行いやすい。
【００４８】
また、上述した実施例では、情報端末装置ＴＭがローカルエリアネットワークＬＡＮに接続され、ローカルエリアネットワークＬＡＮを介して他の装置から情報を取得するように構成しているが、いわゆるスタンドアロンの構成にすることもできる。
【００４９】
その場合、例えば、図９に示すように、図２の実施例におけるローカルエリアネットワークＬＡＮとの接続手段に代えて、大容量の光学媒体３０をアクセスする光学媒体駆動装置３１を設け、この光学媒体３０を介して、提供する情報を取得したり更新するようにするとよい。
【００５０】
また、情報端末装置ＴＭで提供する情報としては、例えば、電車内でも読める社外秘ではない情報や、乗り換え案内情報や交通障害情報など、ユーザの帰宅時に役に立つ情報が好ましい。
【００５１】
また、上述した実施例では、ユーザの操作画面に表示したボタンには、あらかじめ設定されているカテゴリ名を表示しているが、カテゴリ別印刷情報の先頭部分の文字列（所定の長さ）を表示したり、あるいは、情報の代表図を表示させるようにすることもできる。
【００５２】
ここで、ボタンに情報の代表図を表示する場合には、情報の中に図や写真を含む情報の場合、その図や写真を取り出し、ボタンないに収まる大きさに拡大、縮小、一部切り取りなどの画像加工を行い、ボタンとして配置する。代表図はカテゴリや文字列と合わせて表示することにより、よりユーザーにとってどのような情報をえられるのか事前に知ることができるようになる。
【００５３】
情報の中に図や写真が含まれているか否かは、例えば、ＨＴＭＬ形式の情報では、＜ＩＭＧ＞といったタグによってこれらの情報が定義されている。このタグに関連付けられている図や写真を持ってくることにより実現できる。また、タグ付けされていない情報の場合は、その情報を一旦仮想プリンタなどを使って（ＰＤＬなどにより）画像に変換し、文字認識処理（ＯＣＲ処理）で利用されている領域識別処理により、写真や図の領域を抽出しても構わない。領域識別処理の方法は特に限定するものではなく、これまでに提案されている様々な方式のいずれかを用いればよい。
【図面の簡単な説明】
【００５４】
【図１】本発明の一実施例にかかる情報システムの一例を示したブロック図。
【図２】情報端末装置ＴＭの構成の一例を示したブロック図。
【図３】社内データベース装置ＤＢａから取得する情報の一例、カテゴリ情報、蓄積される印刷情報、および、カテゴリ別印刷情報の一例を示した概略図。
【図４】ユーザに提示する操作画面１１ａの一例を示した概略図。
【図５】情報端末装置ＴＭが社内データベース装置ＤＢａから情報を取得する際の処理の一例を示したフローチャート。
【図６】情報端末装置ＴＭが社外データベース装置ＤＢｂから情報を取得する際の処理の一例を示したフローチャート。
【図７】ユーザが図４に示したような表示画面を操作した際に実行される印刷処理の一例を示したフローチャート。
【図８】情報端末装置ＴＭの構成の他の例を示したブロック図。
【図９】情報端末装置ＴＭの構成のさらに他の例を示したブロック図。
【符号の説明】
【００５５】
ＴＭ  情報端末装置
ＤＢａ  社内データベース装置
ＤＢｂ  社外データベース装置
１  ＣＰＵ（中央処理装置
２  ＲＯＭ（リード・オンリ・メモリ）
３  ＲＡＭ（ランダム・アクセス・メモリ）
８  外部記憶装置
９  液晶表示装置
１１  タッチパネル装置
１３  プリンタ装置
【図１】
2008152688.tif 000003
【図２】
2008152688.tif 000004
【図３】
2008152688.tif 000005
【図４】
2008152688.tif 000006
【図５】
2008152688.tif 000007
【図６】
2008152688.tif 000008
【図７】
2008152688.tif 000009
【図８】
2008152688.tif 000010
【図９】
2008152688.tif 000011